(57)【要約】      （修正有）【課題】スタイラスに関する情報をより便利に且つリアルタイムに提供するスタイラスモジュールを提供する。【解決手段】ペン先構造１１を有するスタイラス１と、タッチエリア２１及びディスプレイエリア２２を有するタッチパネル２とを含むスタイラスモジュールＭであり、タッチパネル２のタッチエリア２１は、スタイラス１のペン先構造１１を接触させてスタイラス１からタッチ信号を受信するために用いられ、タッチパネル２のディスプレイエリア２２は、スタイラス１の少なくとも１つのステータス情報を表示するために用いられる。スタイラスモジュールＭのタッチパネル２は、スタイラス１のペン先構造１１から受信したタッチ信号に基づいて、スタイラス１の少なくとも１つのステータス情報をディスプレイエリア２２に直接表示することができる。【選択図】図１
0003234590.tif 000002
【実用新案登録請求の範囲】
【請求項１】
ペン先構造を有するスタイラスと、
前記スタイラスの前記ペン先構造を接触させて前記スタイラスからタッチ信号を受信するためのタッチエリア、及び前記スタイラスの少なくとも１つのステータス情報を表示するためのディスプレイエリアを有するタッチパネルと
を含む
ことを特徴とするスタイラスモジュール。
【請求項２】
前記スタイラスは、アクティブスタイラスである
ことを特徴とする請求項１に記載のスタイラスモジュール。
【請求項３】
前記少なくとも１つのステータス情報は、前記スタイラスから受信した前記タッチ信号によって生成される
ことを特徴とする請求項１または２に記載のスタイラスモジュール。
【請求項４】
前記タッチ信号は、マイクロソフトペンプロトコル（Ｍｉｃｒｏｓｏｆｔ  Ｐｅｎ  Ｐｒｏｔｏｃｏｌ（ＭＰＰ））に準拠する
ことを特徴とする請求項１から３のいずれか１項に記載のスタイラスモジュール。
【請求項５】
前記タッチ信号は、３０〜７０ｋＨｚの間の周波数を有する
ことを特徴とする請求項１から４のいずれか１項に記載のスタイラスモジュール。
【請求項６】
前記ペン先構造は、弾性体を含む
ことを特徴とする請求項１から５のいずれか１項に記載のスタイラスモジュール。
【請求項７】
前記ペン先構造は、アーチ型接触面、平坦型接触面接触面からなる群より選択された接触面を有する
ことを特徴とする請求項１から６のいずれか１項に記載のスタイラスモジュール。
【請求項８】
前記少なくとも１つのステータス情報の表示方式は、一組のアラビア数字、一つの記号、一つの文字列、一つの画像、一つの信号灯からなる群より選択される
ことを特徴とする請求項１から７のいずれか１項に記載のスタイラスモジュール。
【請求項９】
前記タッチパネルは、指紋検出エリアをさらに含む
ことを特徴とする請求項１から８のいずれか１項に記載のスタイラスモジュール。
【請求項１０】
前記スタイラスは、前記ペン先構造によって前記タッチ信号を前記タッチパネルに伝送するための信号伝送ユニットをさらに含む
ことを特徴とする請求項１から９のいずれか１項に記載のスタイラスモジュール。
【請求項１１】
前記タッチパネルは、前記スタイラスを前記タッチパネルに固定させるための固定エリアをさらに含む
ことを特徴とする請求項１から１０のいずれか１項に記載のスタイラスモジュール。
【考案の詳細な説明】
【技術分野】
【０００１】
本考案はスタイラスモジュールに関し、より具体的には、本考案はスタイラス及びタッチパネルを含むスタイラスモジュールに関する。
【背景技術】
【０００２】
技術の進歩と発展に伴い、タッチパネルは、様々な電子機器、例えばパーソナルモバイル機器、タブレット、ノートパソコン、パーソナルコンピューター、及びゲーム機などの素子又はアクセサリの一つとして広く使用されている。タッチパネルは、ユーザーが操作コマンドを入力するためのユーザーインターフェースを提供することができる。現在のタッチパネルの技術分野において、静電容量式タッチパネルは、高い感度と高い耐久性などの利点を有し、且つタッチパネルにあるタッチエリア内の静電容量値の変化に基づいて計算と処理が行われることによって、ユーザーからの操作コマンドを受信する。
【０００３】
一般的に、ユーザーは、指先、スタイラス又は他のツールを介してタッチパネルをタッチすることによってタッチ操作を行うことができる。スタイラスについて、現在の技術において最も広く使用されている静電容量式スタイラスは、アクティブスタイラス（ａｃｔｉｖｅ  ｓｔｙｌｕｓｅｓ）とパッシブスタイラス（ｐａｓｓｉｖｅ  ｓｔｙｌｕｓｅｓ）とに分けることができる。アクティブスタイラスは、そのペン先構造とタッチパネルの接触により電流の変化が生じることによって信号を送受信することができる他、内部には、一般的にタッチパネル又は電子機器と通信して追加の機能（例えば圧力感度（ｐｒｅｓｓｕｒｅ  ｓｅｎｓｉｔｉｖｉｔｙ）、ペン先構造のチルト（ｔｉｌｔ）、書かれた情報など様々な情報を伝送する）を提供するための例えば回路基板などの回路部品を含むこともできる。
【０００４】
上述したように、従来技術において、スタイラス及びタッチパネル（「タッチパッド」含む。以下同様）は、通常、電子機器の部品又はアクセサリとして使用される。即ち一般的に、スタイラスから送信される情報は、スタイラス及び／又はタッチパネルと電気的に接続されているメインプロセッサ、例えばパーソナルモバイル機器、タブレット、ノートパソコン、又はパーソナルコンピューターなどのプロセシングユニットに送信されることで演算と処理が行われ、続いて、更なる操作と機能が実行される。詳しく言えば、ある状況において、演算と処理が行われた情報は電子機器の機能を起動又は実行させ、及び／又は処理された情報は電子機器の表示装置に表示される。つまり、スタイラスとタッチパネルは、一般的には、主な電子機器の周辺機器とされ、機能を発揮するためにはスタイラスとタッチパネルにより送受信された信号が、主な電子機器との間で通信されなければならない。一例として、アクティブスタイラスは、異なる通信プロトコルによって主な電子機器のプロセッサと通信することで様々な追加機能、例えばスタイラスと主な電子機器とのペアリングと接続を行う（例えばＢｌｕｅｔｏｏｔｈ（登録商標）のペアリングをして特定機能のボタンを設定する）ことを提供することができる。しかし、このような場合、スタイラスに関する情報はリアルタイムでタッチパネルに表示されることができない上、スタイラスとタッチパネルは電子機器から独立して動作することもできないため、スタイラス及びタッチパネルを含むスタイラスモジュールの使用上の柔軟性が大幅に損なわれている。
【考案の概要】
【考案が解決しようとする課題】
【０００５】
上記の技術的課題に鑑みて、本考案が提供するスタイラスモジュールに含まれるタッチパネルは、スタイラスからタッチ信号を受信すると共に、タッチ信号に基づいてスタイラスの少なくとも１つのステータス情報を直接表示することができるため、スタイラスに関する情報をより便利に且つリアルタイムで提供する。
【課題を解決するための手段】
【０００６】
本考案に係る一つの実施形態は、スタイラスとタッチパネルとを有するスタイラスモジュールを提供する。前記スタイラスはペン先構造を有し、前記タッチパネルはタッチエリアとディスプレイエリアとを有する。前記タッチパネルの前記タッチエリアは、前記スタイラスの前記ペン先構造を接触させて前記スタイラスからタッチ信号を受信するために用いられ、前記ディスプレイエリアは、前記スタイラスの少なくとも１つのステータス情報を表示するために用いられる。
【０００７】
本考案に係る一つの好ましい実施形態において、前記スタイラスは、アクティブスタイラスである。
【０００８】
本考案に係る一つの好ましい実施形態において、前記少なくとも１つのステータス情報は、前記スタイラスから受信した前記タッチ信号によって生成される。
【０００９】
本考案に係る一つの好ましい実施形態において、前記タッチ信号は、マイクロソフトペンプロトコル（Ｍｉｃｒｏｓｏｆｔ  Ｐｅｎ  Ｐｒｏｔｏｃｏｌ（ＭＰＰ））に準拠する。
【００１０】
本考案に係る一つの好ましい実施形態において、前記タッチ信号は、３０〜７０ｋＨｚの間の周波数を有する。
【００１１】
本考案に係る一つの好ましい実施形態において、前記ペン先構造は、弾性体を含む。
【００１２】
本考案に係る一つの好ましい実施形態において、前記ペン先構造は、アーチ型接触面、平坦型接触面接触面からなる群より選択された接触面を有する。
【００１３】
本考案に係る一つの好ましい実施形態において、前記少なくとも１つのステータス情報の表示方式は、一組のアラビア数字、一つの記号、一つの文字列、一つの画像、一つの信号灯からなる群より選択される。
【００１４】
本考案に係る一つの好ましい実施形態において、前記タッチパネルは、指紋検出エリアをさらに含む。
【００１５】
本考案に係る一つの好ましい実施形態において、前記スタイラスは、前記ペン先構造によって前記タッチ信号を前記タッチパネルに伝送するための信号伝送ユニットをさらに含む。
【００１６】
本考案に係る一つの好ましい実施形態において、前記タッチパネルは、前記スタイラスを前記タッチパネルに固定させるための固定エリアをさらに含む。
【００１７】
本考案の主な技術手法の１つは、本考案に係る実施形態が提供するスタイラスモジュールが、「前記スタイラスの前記ペン先構造を接触させて前記スタイラスからタッチ信号を受信するためのタッチエリア、及び前記スタイラスの少なくとも１つのステータス情報を表示するためのディスプレイエリア」の特定事項により、タッチパネルをしてスタイラスから受信したタッチ信号に基づいてスタイラスの少なくとも１つのステータス情報を直接表示させることができる構成としている点にある。そのため、本考案は、スタイラスモジュールの実用性及び使用上の柔軟性を大幅に向上させることができる。
【図面の簡単な説明】
【００１８】
【図１】本考案に係る実施形態が提供するスタイラスモジュールを示すブロック図である。
【図２】本考案に係る実施形態が提供するスタイラスモジュールのスタイラスの外観を示す模式図である。
【図３】本考案に係る実施形態が提供するスタイラスモジュールのタッチパネルの外観を示す模式図である。
【考案を実施するための形態】
【００１９】
以下、具体的実施例により本考案に係る「スタイラスモジュール」の実施形態を説明する。当業者は、本明細書に開示される内容によって本考案に係る利点及び効果を理解することができる。本考案は他の異なる具体実施例により実施又は応用することができ、本明細書における各詳細な技術内容も異なる観点と応用に基づき、本考案の趣旨を逸脱しない範囲において様々な修正と変形を行うことができる。以下の実施形態では本考案に係る技術内容をさらに詳しく説明するが、それによって開示される内容は本考案の技術範囲を限定するものではない。
【００２０】
先ず、図１を用いて説明する。図１は、本考案に係る実施形態が提供するスタイラスモジュールＭを示すブロック図である。スタイラスモジュールＭは、スタイラス１及びタッチパネル２を含み、スタイラス１はペン先構造１１を有し、タッチパネル２はタッチエリア２１及びディスプレイエリア２２を有する。次いで、図２、図３を併用して説明する。図２は本考案に係る実施形態が提供するスタイラスモジュールＭのスタイラス１の外観を示す模式図であり、図３は本考案に係る実施形態が提供するスタイラスモジュールＭのタッチパネル２の外観を示す模式図である。
【００２１】
本考案に係る実施形態において、スタイラス１は、アクティブスタイラスであってもよい。図２に示すように、スタイラス１は、ペン先構造１１と、ペン先構造１１に接続されているペン軸構造１２とを有してもよい。ペン先構造１１は、タッチパネル２と接触してタッチ信号を伝送するために用いられ、ペン軸構造１２は、ユーザーにスタイラス１を握らせると共に、スタイラス１の他の電子部品を収容するために用いられる。ペン先構造１１は、弾性体を含んでもよい。即ち、ペン先構造１１の少なくとも一部は、ユーザーにスタイラス１のより良い使用感を提供すると共に、スタイラス１のより豊富な使い方を提供するように、弾性体の材料から構成されてもよい。しかし、ペン先構造１１の材料について、本考案では限定しない。ペン先構造１１は、その接触面によってタッチパネル２と接触することができ、且つ接触面はアーチ型接触面、平坦型接触面接触面からなる群より選択されることができる。
【００２２】
さらに、ペン軸構造１２の内部は、例えば回路ユニット（ｃｉｒｃｕｉｔ  ｕｎｉｔ）、誘導コイルユニット（ｉｎｄｕｃｔｉｏｎ  ｃｏｉｌ  ｕｎｉｔ）、及び／又は給電ユニット（ｐｏｗｅｒ  ｓｕｐｐｌｙ  ｕｎｉｔ）などのスタイラス１の電子部品（図示せず）を収容するために用いられる。本考案において、スタイラス１は、誘導コイルユニットによってタッチ信号を生成し、次いでタッチ信号をスタイラス１のペン先構造１１を介してタッチパネル２に伝送することができる。スタイラス１の給電ユニットは、着脱自在（ｒｅｍｏｖａｂｌｅ）の電池又は再充電可能な（ｒｅｃｈａｒｇｅａｂｌｅ）電池を含んでもよいが、スタイラス１の給電方式について、本考案では限定しない。
【００２３】
引き続き図３を用いて説明する。前述したように、タッチパネル２は、タッチエリア２１及びディスプレイエリア２２を有する。タッチエリア２１は、スタイラス１のペン先構造１１を接触させてスタイラス１からタッチ信号を受信するために用いられ、且つディスプレイエリア２２は、少なくともスタイラス１の少なくとも１つのステータス情報を表示するために用いられる。図３に示すように、本考案に係る実施形態において、タッチエリア２１及びディスプレイエリア２２は、タッチパネル２の一つの表面において重なり合っていないエリアであって、一例として、ディスプレイエリア２２は、タッチパネル２の表面の周縁の一部に位置されてもよい。しかし、本考案に係る実施形態において、タッチエリア２１及びディスプレイエリア２２は、相互に重ね合わせられてもよい。実際に、ディスプレイエリア２２は、スタイラス１の電気量情報を含む少なくとも１つのステータス情報を表示する外、他の情報を表示することもでき、且つその表示する情報は、スタイラス１、タッチパネル２自体、又はタッチパネル２と電気的に接続されている他の電子機器からの情報であってもよい。
【００２４】
なお、本考案において、スタイラス１の少なくとも１つのステータス情報は、スタイラス１から受信したタッチ信号に基づいて生成される。言い換えれば、タッチパネル２のディスプレイエリア２２に表示された少なくとも１つのステータス情報は、スタイラス１のペン先構造１１とタッチパネル２のタッチエリア２１との接触によって、スタイラス１からタッチパネル２に送信される。従来技術では、スタイラス１に関する情報（電気量情報を含むステータス情報など）は、スタイラス１の通信機能、例えばＢｌｕｅｔｏｏｔｈなどの技術によって先ず電子機器に送信され、電子機器が収集した情報を処理した後、続いて表示装置（表示装置は電子機器自体のディスプレイであってもよく、タッチパネル２のディスプレイエリア２２であってもよい）に送信される。それに対し、本考案に係るスタイラス１の少なくとも１つのステータス情報は、ペン先構造１１とタッチエリア２１とが接触した際に、同時にタッチ信号によってタッチパネル２に送信され、且つタッチパネル２が直接受信すると共に、タッチパネル２における電子部品及び／又はファームウェア（ｆｉｒｍｗａｒｅ）で解釈（ｉｎｔｅｒｐｒｅｔａｔｉｏｎ）することにより少なくとも１つのステータス情報を取得する。これにより、本考案においては、スタイラス１の少なくとも１つのステータス情報は、先ずタッチパネル２に電気的に接続されている他の電子機器に送信し、次いで電子機器によって処理した後にタッチパネル２に送信して表示させる必要がなく、タッチパネル２のディスプレイエリア２２が直接表示することができる。本考案に係るスタイラス１の少なくとも１つのステータス情報は、従来技術のようにＢｌｕｅｔｏｏｔｈを介して送信されるわけではないため、別途Ｂｌｕｅｔｏｏｔｈモジュールを追加する必要がなく、電子機器とＢｌｕｅｔｏｏｔｈのペアリングを行う必要もない。従って、スタイラスモジュールＭの使用上の利便性を大幅に向上することができる。
【００２５】
さらに、本考案に係るいくつかの実施形態において、スタイラス１には、ペン先構造１１によってタッチ信号をタッチパネル２に送信するために用いられる信号伝送ユニットをさらに含むことができる。スタイラス１が提供するタッチ信号は、マイクロソフトペンプロトコル（Ｍｉｃｒｏｓｏｆｔ  Ｐｅｎ  Ｐｒｏｔｏｃｏｌ（ＭＰＰ））、ワコム（Ｗａｃｏｍ）ＡＥＳ  １．０及び２．０プロトコル、ワコムＥＭＲプロトコル、ユニバーサルスタイラスイニシアチブ（Ｕｎｉｖｅｓａｌ  Ｓｔｙｌｕｓ  Ｉｎｉｔｉａｔｉｖｅ（ＵＳＩ））プロトコル、アップルペンシルアクティブ投影型静電容量（Ａｐｐｌｅ  Ｐｅｎｃｉｌ  Ａｃｔｉｖｅ  Ｐｒｏｊｅｃｔｅｄ  Ｃａｐａｃｉｔｉｖｅ（ＡＰＣ））プロトコルのうちの少なくとも一つに準拠する。本考案に係る好ましい実施形態において、スタイラス１が提供するタッチ信号は、マイクロソフトペンプロトコルに準拠する。また、本考案に係る実施形態において、前記タッチ信号は、３０〜７０ｋＨｚの間の周波数を有する。
【００２６】
引き続き図３を用いて説明する。本考案に係る実施形態において、スタイラス１の少なくとも１つのステータス情報の表示方式は、一組のアラビア数字、一つの記号、一つの文字列、一つの画像、一つの信号灯からなる群より選択される。図３に示された実施形態において、例えば、電気量情報など少なくとも１つのステータス情報は、画像にアラビア数字と記号を加えた組み合わせによって表示され、即ち一例としての電気量情報は、電池の画像及び電気量を示すアラビア数字と百分率によって表示されている。しかし、本考案において、少なくとも１つのステータス情報の表示方式は限定されない。
【００２７】
次いで、本考案に係る実施形態が提供するスタイラスモジュールＭのタッチパネル２は、ユーザーの指先を触れさせるための指紋検出エリア（図示せず）をさらに含んでもよい。これにより、タッチパネル２は、指紋認識（ｆｉｎｇｅｒｐｒｉｎｔ  ｒｅｃｏｇｎｉｔｉｏｎ）の機能をさらに有することができる。指紋認識の追加機能以外に、タッチパネル２の構造は、スタイラス１をタッチパネル２に固定させるための固定エリア（図示せず）をさらに含んでもよい。一例として、固定エリアは、タッチパネル２における一つの側端の溝（ｇｒｏｏｖｅ）に設置されてもよく、スタイラス１を当該溝の内部に嵌合（ｆｉｔ）させてタッチパネル２に固定させることができる。従って、スタイラスモジュールＭを携帯中にスタイラス１とタッチパネル２とが分離して紛失することを防ぐことができる。
【００２８】
以上をまとめると、本考案の主な技術手法の１つは、本考案に係る実施形態が提供するスタイラスモジュールＭが、「スタイラス１のペン先構造１１を接触させてスタイラス１からタッチ信号を受信するためのタッチエリア２１、及びスタイラス１の少なくとも１つのステータス情報を表示するためのディスプレイエリア２２」の特定事項により、タッチパネル２をしてスタイラス１から受信したタッチ信号に基づいてスタイラス１の少なくとも１つのステータス情報を直接表示させることができる構成としている点にある。そのため、本考案は、スタイラスモジュールＭの実用性及び使用上の柔軟性を大幅に向上させることができる。
【００２９】
詳しく言えば、本考案に係るスタイラス１の少なくとも１つのステータス情報は、ペン先構造１１とタッチエリア２１とが接触した際に、同時にタッチ信号によってタッチパネル２に送信されるため、少なくとも１つのステータス情報をリアルタイムでタッチパネル２のディスプレイエリア２２に表示させることができる。従って、本考案においては、スタイラス１の少なくとも１つのステータス情報は、先ずタッチパネル２に電気的に接続されている例えばパーソナルモバイル機器、タブレット、パーソナルコンピューターなどの主な電子機器に送信し、次いで電子機器によって処理した後にタッチパネル２に送信して表示させる必要がなく、スタイラス１のタッチ（ｔｏｕｃｈ）によって送信して、タッチパネル２のディスプレイエリア２２によって直接表示することができる。上記に基づき、本考案が提供するスタイラスモジュールＭは、従来技術より効率的な方法でスタイラス１が保持している電気量などのステータス情報をリアルタイムでユーザーに知らせることができるため、使用上の利便性が大幅に向上される。
【００３０】
本考案に係る実施形態を以上のように詳述したが、実用新案登録請求の範囲に特定された本考案の趣旨を逸脱しない範囲において本考案に係る各種の変更ができることは、当業者にとって理解できることである。従って、本考案に係る実施例の更なる変更も、本考案の技術範囲に含まれるものである。
【符号の説明】
【００３１】
Ｍ：スタイラスモジュール
１：スタイラス
１１：ペン先構造
１２：ペン軸構造
２：タッチパネル
２１：タッチエリア
２２：ディスプレイエリア
【図１】
0003234590.tif 000003
【図２】
0003234590.tif 000004
【図３】
0003234590.tif 000005